(57)【要約】【課題】  内側戸と外側戸とからなる引違い戸の召合せ部に設けられ、内側錠と外側錠とからなる引違い戸用施錠装置において、サムターン回しを有効に防止する。【解決手段】  外側錠２は、キー操作により回転して内側錠４へ突入するロックピース７，８を備える。内側錠４は、メインスライダー９、施錠杆１０、可動材２２、サムロックスライダー２５を備える。メインスライダー９は、ロックピース７，８によりスライドされる。施錠杆１０は、メインスライダー９により回転して外側錠２へ突入して施錠を図る。可動材２２は、上下動可能なツマミ１２ａに保持され、内側戸３の厚さ方向に進退可能で、先端部２２ａがメインスライダー９に係脱可能である。サムロックスライダー２５は、内側錠４に着脱可能に設けられる内側キーの操作により、可動材２２を基端側へ移動させ、可動材２２とメインスライダー９との係合を解除する。【選択図】      図１
2006009289.tif 000002
【特許請求の範囲】
【請求項１】
内側戸と外側戸とからなる引違い戸の召合せ部に設けられ、室内側の内側錠と室外側の外側錠とからなる引違い戸用施錠装置であって、
前記内側錠は、ツマミの上下動に連動するスライド部材により施錠杆を出没作動させて、前記外側錠との施解錠を図る構成とされ、
前記内側錠には、前記ツマミと前記スライド部材との係合の解除機構が設けられている
ことを特徴とする引違い戸錠。
【請求項２】
内側戸と外側戸とからなる引違い戸の召合せ部に設けられ、内側錠と外側錠とからなる引違い戸用施錠装置であって、
前記内側錠のケースに上下動可能に保持されるツマミと、
このツマミの操作、または前記外側錠のキーの操作により、上下動して前記内側戸と前記外側戸との施解錠を図るスライド部材と、
前記内側戸の厚さ方向に進退可能で、先端部が前記スライド部材に係脱可能に、前記ツマミに保持され、前記スライド部材に係合するよう前記ツマミに対し先端側に付勢される可動部材と、
前記可動部材を基端側へ移動させ、前記可動部材と前記スライド部材との係合を解除するサムロックスライダーと
を備えることを特徴とする引違い戸錠。
【請求項３】
内側戸と外側戸とからなる引違い戸の召合せ部に設けられ、内側錠と外側錠とからなる引違い戸用施錠装置であって、
前記外側錠には、キーの操作により回転して前記内側錠へ突入するロックピースが備えられ、
前記内側錠には、
前記ロックピースによりスライドするスライド部材と、
このスライド部材のスライドにより回転して前記外側錠へ突入する施錠杆と、
上下動可能なツマミに保持され、前記内側戸の厚さ方向に進退可能で、先端部が前記スライド部材に係脱可能で、前記スライド部材に係合するよう前記ツマミに対し先端側に付勢された可動部材と、
前記内側錠の内側シリンダー錠のキー操作によりスライドすることで、前記可動部材を基端側へ移動させ、前記可動部材と前記スライド部材との係合を解除するサムロックスライダーとを備える
ことを特徴とする引違い戸錠。
【発明の詳細な説明】
【技術分野】
【０００１】
本発明は、内側戸と外側戸とからなる引違い戸の召合せ部に、内側錠と外側錠とをそれぞれ対向するように取り付け、内側からはスライド式サムターンのツマミの操作、外側からはシリンダー錠などの操作により施解錠する引違い戸錠（引違い戸用施錠装置）に関するものである。
【背景技術】
【０００２】
内側戸と外側戸とからなる引違い戸は、それぞれの戸を閉めた状態で互いに重なり合う召合せ部において、内側戸に設けた内側錠と、外側戸に設けた外側錠とを施錠杆により互いに係脱することで施解錠がなされる。従来の引違い戸錠として、下記特許文献１に開示されるものが知られている。従来の引違い戸錠は、内側錠にはスライド式のサムターンが設けられ、外側錠にはシリンダー錠が設けられている。従って、室外側からの施解錠は、所定のキー操作によりなされ、室内側からの施解錠は、サムターンのツマミを上下動することによりなされている。
【特許文献１】実用新案登録第２５９８５９７号公報
【発明の開示】
【発明が解決しようとする課題】
【０００３】
しかしながら、近年、いわゆるサムターン回しと呼ばれる不正解錠の犯罪が横行しており、従来の構成ではこれに対処できなかった。すなわち、室外側から戸のガラスを割り、工具や手で直接にサムターンのツマミをスライドさせるサムターン回しを有効に防止できなかった。そこで、本発明が解決しようとする課題は、サムターン回しを有効に防止できる引違い戸錠を提供することにある。
【課題を解決するための手段】
【０００４】
本発明は、前記課題を解決するためになされたもので、請求項１に記載の発明は、内側戸と外側戸とからなる引違い戸の召合せ部に設けられ、室内側の内側錠と室外側の外側錠とからなる引違い戸用施錠装置であって、前記内側錠は、ツマミの上下動に連動するスライド部材により施錠杆を出没作動させて、前記外側錠との施解錠を図る構成とされ、前記内側錠には、前記ツマミと前記スライド部材との係合の解除機構が設けられていることを特徴とする。
【０００５】
また、請求項２に記載の発明は、内側戸と外側戸とからなる引違い戸の召合せ部に設けられ、内側錠と外側錠とからなる引違い戸用施錠装置であって、前記内側錠のケースに上下動可能に保持されるツマミと、このツマミの操作、または前記外側錠のキーの操作により、上下動して前記内側戸と前記外側戸との施解錠を図るスライド部材と、前記内側戸の厚さ方向に進退可能で、先端部が前記スライド部材に係脱可能に、前記ツマミに保持され、前記スライド部材に係合するよう前記ツマミに対し先端側に付勢される可動部材と、前記可動部材を基端側へ移動させ、前記可動部材と前記スライド部材との係合を解除するサムロックスライダーとを備えることを特徴とする。なお、前記サムロックスライダーは、典型的には、前記内側錠の内側シリンダー錠のキー操作により作動する。
【０００６】
さらに、請求項３に記載の発明は、内側戸と外側戸とからなる引違い戸の召合せ部に設けられ、内側錠と外側錠とからなる引違い戸用施錠装置であって、前記外側錠には、キーの操作により回転して前記内側錠へ突入するロックピースが備えられ、前記内側錠には、前記ロックピースによりスライドするスライド部材と、このスライド部材のスライドにより回転して前記外側錠へ突入する施錠杆と、上下動可能なツマミに保持され、前記内側戸の厚さ方向に進退可能で、先端部が前記スライド部材に係脱可能で、前記スライド部材に係合するよう前記ツマミに対し先端側に付勢された可動部材と、前記内側錠の内側シリンダー錠のキー操作によりスライドすることで、前記可動部材を基端側へ移動させ、前記可動部材と前記スライド部材との係合を解除するサムロックスライダーとを備えることを特徴とする。
【発明の効果】
【０００７】
本発明によれば、スライド式サムターンのツマミは、施解錠機構のスライド部材と係脱可能に構成した。従って、内側錠に設けたシリンダー錠のキー操作などで、ツマミとスライド部材との係合状態を解除しておけば、室外側から戸のガラスを割り、手で直接にサムターンのツマミをスライドさせても解錠することはできず、サムターン回しを有効に防止することができる。
【発明を実施するための最良の形態】
【０００８】
本発明の引違い戸錠は、内側戸と外側戸とからなる引違い戸の施錠装置である。引違い戸は、その構成を特に問わないが、一般住宅の玄関扉などとして利用されるもので、典型的には矩形状のアルミ枠にガラスの入った複数枚の引き戸（内側戸と外側戸）から構成され、建物の躯体に保持された戸枠にスライド可能に設けられる。そして、引違い戸錠は、室内側の内側戸に設けられる内側錠と、室外側の外側戸に設けられる外側錠とからなる。この内側錠と外側錠とは、内側戸と外側戸の召合せ部に設けられる。つまり、内側錠は、内側戸の戸尻側に設けられ、外側錠は、外側戸の戸尻側に設けられ、戸を閉めた状態で互いに重なり合うよう対向する同一高さ位置に設けられる。
【０００９】
本実施形態の引違い戸錠は、外側錠だけでなく内側錠にもシリンダー錠を備え、内側錠のスライド式サムターンのツマミが、施解錠機構のスライド部材と係脱可能で、その係脱を内側錠の内シリンダー錠のキー操作によりなされるものである。それ以外の機構は、基本的には各種構造を適用可能である。従って、以下に本発明の一実施例について説明するが、スライド式サムターンを除いた施解錠機構そのものは適宜変更可能であり、本実施例の構成に限定されるものではない。
【実施例】
【００１０】
以下、本発明の引違い戸錠の一実施例について、図面を参照しつつ、さらに詳細に説明する。
【００１１】
図１は、本発明の引違い戸錠の一実施例を引違い戸の召合せ部に取り付けた状態を示す図であり、引違い戸を閉めた状態で、解錠状態を示している。同図（ａ）は召合せ部の縦断面図、（ｂ）はその平面図、（ｃ）はスライド式サムターンの左側面図、（ｄ）は外シリンダー錠の右側面図を示している。同図（ａ）において、右側が室外側を示し、左側が室内側を示している。以下の説明においては、図１（ａ）における左右方向を「左右」、図１（ａ）における紙面と直角方向を「前後」、図１（ｂ）における紙面と直角方法を「上下」と定義して説明する。
【００１２】
本実施例の引違い戸錠は、室外側の外側戸１に設けられる外側錠２と、室内側の内側戸３に設けられる内側錠４とからなる。外側錠２は、外側キー（不図示）により操作される外シリンダー錠５、この外シリンダー錠５により上下動される操作スライダー６、この操作スライダー６により回転操作される二つのロックピース７，８（第一ロックピース７および第二ロックピース８）を備える。
【００１３】
一方、内側錠４は、前記ロックピース７，８により上下動されるメインスライダー９、このメインスライダー９の上下動により回転して外側錠２との施解錠を図る施錠杆１０、前記ロックピース７，８が前記メインスライダー９を操作する箇所を覆って、外側戸１と内側戸３との隙間からの不正解錠を防止するガード部材１１、室内側から施解錠するために前記メインスライダー９を上下動させるサムスライダー１２、外側戸１と内側戸３との納まり具合によって前記メインスライダー９ひいては前記施錠杆１０の作動を阻止するトリガー１３、そして更に、前記サムスライダー１２と前記メインスライダー９との係脱を図りサムターン回し（ツマミ１２ａの不正な上下動）を防止するための本発明の特徴部である解除機構を備えている。
【００１４】
上述したように、外側錠２は、外シリンダー錠５、操作スライダー６、第一ロックピース７、第二ロックピース８を備え、これら部材は箱状の外ケース１４に内蔵される。外ケース１４は、外ケース本体１４Ｘと、外ケース蓋１４Ｙとから構成される。図２は、外ケース本体１４Ｘを示す図であり、（ａ）は正面図、（ｂ）は左側面図、（ｃ）は平面図である。また、図３は、外ケース蓋１４Ｙを示す図であり、（ａ）は正面図、（ｂ）は左側面図、（ｃ）は平面図である。
【００１５】
この外ケース本体１４Ｘと外ケース蓋１４Ｙとを組み合わせることで、図１に示すように、外ケース１４は、上下に細長い四角形状の中空の箱状に形成される。このようにして構成される外ケース１４は、外側戸１の戸尻側縦枠１Ｘに内蔵された後、外ケース１４の室内側面に、図４に示すフロント板１５が重ね合わされて設けられる。フロント板１５には、図１に示すように、開口部１５ａ，１５ｂが形成されている。上側の開口部１５ａには、ロックピース７，８が出没可能とされ、下側の開口部１５ｂには、内側錠４の施錠杆１０が突入可能とされる。
【００１６】
また、外ケース１４の室外側の右側壁の上下方向中央部には、外シリンダー錠５が設けられる。この外シリンダー錠５は、従前のシリンダー錠と同様の構成のものを採用でき、基端側（室外側）に開口してキー差込穴５ａが形成され、そのキー差込穴５ａに差し込まれる外側キー（不図示）の回転操作により、先端部に設けたピニオン１６が回転操作される。
【００１７】
図５は、操作スライダー６を示す図であり、（ａ）は正面図、（ｂ）は左側面図である。この図に示すように、操作スライダー６は、上下に細長い部材であり、下部には、上下方向に沿ってラック６ａが形成されており、このラック６ａに前記ピニオン１６がかみ合わされて、外ケース１４内に保持される。従って、操作スライダー６は、外シリンダー錠５のキー操作により、ピニオン１６が回転されると上下にスライドすることになる。操作スライダー６の上部には、後述する第一ロックピース７の係合ピン７ａが係合可能な第一溝６ｂと、第二ロックピース８の係合ピン８ａが係合可能な第二溝６ｃとが左側に開口して形成されている。
【００１８】
図６は、ロックピース７（８）を示す図であり、（ａ）は正面図、（ｂ）は左側面図である。本実施例の引違い戸錠では、このロックピースが二つ使用され、一方が第一ロックピース７とされ、他方が第二ロックピース８とされる。この図に示すように、各ロックピース７（８）は、鎌形に形成された板材で、図１に示すように、基端部が外ケース１４に回転自在に、同一の回転軸１７に保持される。その際、各ロックピース７，８は、図１に示すように、初期状態（解錠状態）において、鎌の先端部を左側に向けて配置される。しかも、第一ロックピース７は、先端部を上方に向けて配置され、第二ロックピース８は、先端部を下方へ向けて配置される。
【００１９】
各ロックピース７，８には、その板面に対し垂直に係合ピン７ａ，８ａが突出して設けられている。図１の初期状態において、第一ロックピース７の係合ピン７ａは、回転軸１７の右斜め下方に配置され、その係合ピン７ａを下方から受けるように、前記操作スライダー６の第一溝６ｂが配置される。また、第二ロックピース８の係合ピン８ａは、回転軸１７の右斜め上方に配置され、その係合ピン８ａを上方から受けるように、前記操作スライダー６の第二溝６ｃが配置される。
【００２０】
従って、外シリンダー錠５の操作により、ピニオン１６およびラック６ａを介して、操作スライダー６を上方へ移動させると、第一ロックピース７の係合ピン７ａが操作スライダー６の第一溝６ｂへはまり込み、操作スライダー６を上方へ移動させるに伴って、第一溝６ｂの奥側へ係合ピン７ａが進むよう第一ロックピース７を作動させることになる。よって、操作スライダー６を上方へ移動させるに伴って、第一ロックピース７は回転軸１７まわりに反時計方向に回転することになる。
【００２１】
そして、この第一ロックピース７の回転により、後述する内側錠４のメインスライダー９のアーム１８が下方へ押し込まれて、後述する内側錠４のメインスライダー９が下方へ移動して、施錠杆１０により内側錠４と外側錠２とが施錠されることになる（図２０）。なお、外側キー（不図示）は、たとえば９０度回転させて施解錠操作した後、逆方向に９０度戻してキーを抜くので、操作スライダー６および各ロックピース７，８は、その操作時のみ可動して、外側キー（不図示）を抜いた際には元の状態に戻されることになる。
【００２２】
一方、図２０の施錠状態から、外シリンダー錠５の操作により、ピニオン１６およびラック６ａを介して、操作スライダー６を下方へ移動させると、第二ロックピース８の係合ピン８ａが操作スライダー６の第二溝６ｃへはまり込み、操作スライダー６を下方へ移動させるに伴って、第二溝６ｃの奥側へ係合ピン８ａが進むよう第二ロックピース８を作動させることになる。よって、操作スライダー６を下方へ移動させるに伴って、第二ロックピース８は回転軸１７まわりに時計方向に回転することになる。そして、その第二ロックピース８の回転により、後述する内側錠４のメインスライダー９が上方へ移動して、施錠杆１０による内側錠４と外側錠２との施錠を解除することになる。
【００２３】
なお、外ケース１４内には、図７に示されるガイド板１９が設けられており、第一ロックピース７と第二ロックピース８は、その先端部がこのガイド板１９に形成された切欠溝１９ａに案内されて内側錠４へ向けて回転することになる。
【００２４】
内側錠４は、前述したように、メインスライダー９、施錠杆１０、ガード部材１１、サムスライダー１２、トリガー１３、およびサムスライダー１２とメインスライダー９との解除機構を備え、これら部材は箱状の内ケース２０に内蔵される。内ケース２０は、内ケース本体２０Ｘと、内ケース蓋２０Ｙとから構成される。図８は、内ケース本体２０Ｘを示す図であり、（ａ）は正面図、（ｂ）は左側面図、（ｃ）は平面図、（ｄ）は右側面図である。また、図９は、内ケース蓋２０Ｙを示す図であり、（ａ）は正面図、（ｂ）は左側面図、（ｃ）は平面図、（ｄ）は右側面図である。
【００２５】
この内ケース本体２０Ｘと内ケース蓋２０Ｙとを組み合わせることで、図１に示すように、内ケース２０は、上下に細長い四角形状の中空の箱状に形成される。このようにして構成される内ケース２０は、内側戸３の戸尻側縦枠３Ｘに内蔵された後、内ケース２０の室外側面に、図１０に示すフロント板２１が重ね合わされて設けられる。フロント板２１には、図１に示すように、開口部２１ａ，２１ｂが形成されている。上側の開口部２１ａには、後述するガード部材１１が進退可能で、且つ外側錠２のロックピース７，８が突入可能とされ、下側の開口部２１ｂには、施錠杆１０が出没可能とされる。また、両開口部２１ａ，２１ｂの間には、後述するトリガー１３の先端部が出没される四角形状の開口部２１ｃも形成されている。
【００２６】
内ケース２０の右側（室外側）には、外側錠２との施錠機構が内蔵され、内ケース２０の左側（室内側）には、サムスライダー１２とメインスライダー９との係合の解除機構が設けられる。図１１は、前記施錠機構の一部を構成するメインスライダー９を示す図であり、（ａ）は正面図、（ｂ）は左側面図、（ｃ）は平面図、（ｄ）は右側面図である。
【００２７】
この図に示すように、本実施例のメインスライダー９は、上下に細長い板材からなり、上部には板面に対し垂直に屈曲片９ａが一体形成されている。この屈曲片９ａには、後述するサムスライダーピン２２の先端部２２ａが係合する係合穴９ｂが形成されている。そして、この係合穴９ｂと対応した位置には、図１２に示すアーム１８の一片１８ａがねじ止めされて設けられる。アーム１８は、横向きＴ字形状に屈曲形成された板材からなり、係合穴９ｂへのサムスライダーピン２２（２２ａ）の係合を妨げないように、前記一片１８ａの中央部には凹部１８ｃが形成されている。そして、アーム１８は、その一片１８ａが前記屈曲片９ａの室外側面に重ね合わされて取り付けられ、その他片１８ｂを水平にして室外側に延出した状態で配置される。前記アーム１８の他片１８ｂは、前記ロックピース７，８が回転した際、その先端部が当接可能とされる。これにより、メインスライダー９は、ロックピース７，８により、アーム１８を介して上下動可能とされる。
【００２８】
図１１に示すように、メインスライダー９には、上から順番に、第一溝９ｃ、第二溝９ｄ、第三溝９ｅ、第四溝９ｆが順次に互いに離間して形成されている。第一溝９ｃと第二溝９ｄは、互いに同一形状で平行に形成され、上方に行くに従って室外側に傾斜して形成されている。この第一溝９ｃと第二溝９ｄには、後述するガード部材１１が設けられる。一方、第三溝９ｅと第四溝９ｆは、それぞれ上下方向に沿って細長く形成されており、第三溝９ｅには後述するトリガー１３が設けられ、第四溝９ｆには施錠杆１０が設けられる。
【００２９】
図１３は、ガード部材１１を示す図であり、（ａ）は正面図、（ｂ）は平面図、（ｃ）は右側面図である。この図に示すように、ガード部材１１は、四角形の筒状に形成されている。このガード部材１１の上下には、図１に示すように、前後方向（同図（ａ）において紙面と垂直方向）にピン１１ａ，１１ｂが設けられる。そして、これらピン１１ａ，１１ｂは、メインスライダー９の第一溝９ｃまたは第二溝９ｄに係合され、さらに内ケース２０に水平方向に設けた長穴２０ａ，２０ｂ（図８参照）にも係合される。ガード部材１１のピン１１ａ，１１ｂは、図１の初期状態において、第一溝９ｃまたは第二溝９ｄの下端部で、前記長穴２０ａ，２０ｂの左端部に配置されている。
【００３０】
従って、図１の状態からメインスライダー９が下方へ移動すると、ガード部材１１の前記ピン１１ａ，１１ｂが、傾斜する第一溝９ｃ、第二溝９ｄの作用により、内ケース２０の水平な長穴２０ａ，２０ｂに沿って右側（室外側）へ移動し、内ケース２０から外ケース１４へ向けてガード部材１１が突出することになる。よって、施錠状態において、内側戸３（内側錠４）と外側戸１（外側錠２）との隙間から、針金などの不正解錠手段を挿入されて、前記アーム１８が不正に上下動されて不正解錠されることがない。
【００３１】
図１に示すように、メインスライダー９の下部には、施錠杆１０が設けられている。この施錠杆１０は、室外側に開口した略コ字形の鎌片からなり、その上部が内ケース２０に回転可能に保持される。その際、その回転軸１０ａは、メインスライダー９の第四溝９ｆ内に配置されている。図１の解錠状態では、メインスライダー９の第四溝９ｆの下部に、施錠杆１０の回転軸１０ａが配置される。そして、施錠杆１０には、その回転軸１０ａの左上部に、切欠溝１０ｂが形成されている。図１において、その切欠溝１０ｂの開口部には、メインスライダー９から突出したピン９ｇが配置される。従って、図１の状態からメインスライダー９が下方へ移動すると、メインスライダー９の前記ピン９ｇが施錠杆１０の切欠溝１０ｂに入りつつ、施錠杆１０を反時計方向に回転させることになる。そして、施錠杆１０の回転により、施錠杆１０の先端部は、内ケース２０から外ケース１４へ突出し、外ケース１４のフロント板１５の係合穴１５ｂと係合して施錠することになる。
【００３２】
ところで、内側戸３と外側戸１とが完全な閉鎖状態にない状態（一致しない状態）での施錠杆の突出を防止するために、図１４に示すトリガー１３を用いている。このトリガー１３は、室外側に開口した略コ字形状材であり、施錠杆１０と同様に設けられる。すなわち、図１に示すように、トリガー１３の上端部に設けた回転軸１３ａは、メインスライダー９の第三溝９ｅを介して、内ケース２０に保持されている。図１の解錠状態では、メインスライダー９の第三溝９ｅの下部に、トリガー１３の回転軸１３ａが配置される。
【００３３】
トリガー１３は、その回転軸１３ａに設けたバネの作用により、反時計方向に回転して、その先端部を室外側へ突出するよう常時付勢されるが、図１の初期状態では、メインスライダー９の第一突起９ｈにトリガー１３の第一突部１３ｂが当接して、メインスライダー９が下方へ移動しない限り、トリガー１３が作動しないよう構成されている。
【００３４】
内側戸３と外側戸１とが完全に閉まり、内側錠４と外側錠２とが適正な位置に対面した状態では、メインスライダー９を下方へ移動させても、トリガー１３の先端部は、外ケース１４のフロント板１５に当接することでそれ以上の回転が阻止され、メインスライダー９の移動を阻止しない。しかしながら、内側戸３と外側戸１とが完全に閉まっておらず、内側錠４と外側錠２とが適正な位置に対面していない状態では、メインスライダー９を下方へ移動させると、フロント板１５によってトリガー１３の作動が阻止されないので、トリガー１３が回転してトリガー１３に設けた第二突部１３ｃに、メインスライダー９に設けた第二突起９ｉが当接して、それ以上のメインスライダー９の下方への移動が阻止され、施錠操作ができないように構成されている。
【００３５】
内ケース２０の室内側の左側壁と、内側錠４が設けられる内側戸３の戸尻側縦枠３Ｘの対面位置には、図１に示すように、サム座２３が設けられる。図１５は、サム座２３を示す図であり、（ａ）は縦断面図、（ｂ）は左側面図、（ｃ）は平面図、（ｄ）は右側面図である。サム座２３は、内側戸３の戸尻側縦枠３Ｘの室内側面に形成した開口部に設置される。また、サム座２３は、上下部において内ケース２０にねじ止めされて保持される。
【００３６】
サム座２３の下部には、内シリンダー錠２４が設けられる。この内シリンダー錠２４は、従前のシリンダー錠と同様の構成のものを採用でき、基端側（図１における左側）に開口してキー差込穴２４ａが形成され、そのキー差込穴２４ａに差し込まれる内側キー（不図示）の回転操作により、先端部に設けたピン２４ｂを介して、後述するサムロックスライダー２５が上下動される。
【００３７】
また、サム座２３の上部には、サムスライダー１２が上下動可能に保持される。図１６は、サムスライダー１２を示す図であり、（ａ）は縦断面図、（ｂ）は左側面図、（ｃ）は平面図、（ｄ）は右側面図である。この図に示すように、本実施例のサムスライダー１２は、上下方向に延出する細長い長方形の板状部１２ｂと、この板状部１２ｂの中央部から室外側へ突出する円筒状部１２ｃと、前記板状部１２ｂから室内側へ突出するツマミ１２ａとが一体形成されてなる。ツマミ１２ａには、円筒状部１２ｃの内穴１２ｄよりも小径穴１２ｅが、前記内穴１２ｄと同心に形成されている。また、円筒状部１２ｃの周側壁には、左右方向に細長い切欠溝１２ｆが形成されている。
【００３８】
サムスライダー１２には、図１７に示されるサムスライダーピン２２が進退可能に保持される。サムスライダーピン２２は、段付きの丸棒状であり、サムスライダー１２の円筒状部１２ｃに進退可能にはめ込まれる中央部２２ｂと、この中央部２２ｂより若干小径で先端側へ突出する係合部２２ａと、前記中央部２２ｂよりも小径で、ツマミ１２ａの前記小径穴１２ｅに差し込まれる基端側小径部２２ｃとからなる。そして、このサムスライダーピン２２は、前記円筒状部１２ｃの内側底部と、サムスライダーピン２２の段部２２ｄ（図１７）との間に配置したコイルバネ２６（図１）により、室外側に常時付勢されて設けられる。これにより、サムスライダーピン２２の室外側先端部２２ａは、メインスライダー９の係合穴９ｂに突入し、ツマミ１２ａを上下動すれば、メインスライダー９を上下動して、室内側からの施解錠が可能とされる。
【００３９】
図１８は、サムロックスライダー２５を示す図であり、（ａ）は正面図、（ｂ）は左側面図である。この図に示すように、サムロックスライダー２５は、上下に細長い部材であり、上部には、上下に離間して第一溝２５ａと第二溝２５ｂとが平行に形成されている。これら各溝２５ａ，２５ｂは、室内側へ行くに従って上方へ傾斜して形成されている。また、サムロックスライダー２５の下部には、凹部２５ｃが形成されており、この凹部２５ｃには、内シリンダー錠２４の操作により回転するピン２４ｂが係合される。従って、内側キー（不図示）の操作により内シリンダー錠２４を操作すれば、ピン２４ｂを介してサムロックスライダー２５が上下にスライドする。
【００４０】
なお、サムロックスライダー２５の上部に形成された穴２５ｄ（図１８）には、コイルバネ（不図示）によりボール２５ｅ（図１）が外方に常時付勢されて設けられている。そして、このボール２５ｅは、内シリンダー錠２４の操作に応じてサムロックスライダー２５が上下動した各位置において、内ケース２０の上部に上下に離間して形成した丸穴２０ｅ，２０ｅのいずれかに僅かにはまり込むことになる。これにより、所望のクリック効果が得られるように構成されている。
【００４１】
ところで、サムロックスライダー２５には、サムロック板２７が設けられる。図１９は、サムロック板２７を示す図であり、（ａ）は正面視縦断面図、（ｂ）は左側面図、（ｃ）は平面図である。この図に示すように、サムロック板２７は、室内側へ開口した略コ字形状板からなる。そして、その中央片２７ａには、上下方向に沿って細長い切欠溝２７ｂが形成されている。この切欠溝２７ｂの幅寸法ｗは、サムスライダーピン２２の先端側係合部２２ａの径よりも大きく、中央部２２ｂの径よりも小さく形成されている。
【００４２】
図１（ａ）に示すように、サムロック板２７の上下部には、前後方向（紙面と垂直方向）に沿ってピン２７ｃ，２７ｄが設けられ、これら各ピン２７ｃ，２７ｄは、サムロックスライダー２５の第一溝２５ａまたは第二溝２５ｂに差し込まれ、内ケース２０に左右方向に沿って形成した細長い長穴２０ｃ，２０ｄに突入される。図１の解錠状態では、サムロック板２７のピン２７ｃ，２７ｄは、内ケース２０の長穴２０ｃ，２０ｄの右側端部で、且つサムロックスライダー２５の第一溝２５ａまたは第二溝２５ｂの下端部に配置される。そして、その状態では、サムスライダーピン２２に径方向外側に突出して設けたピン２２ｅは、サムスライダー１２の円筒状部１２ｃの切欠溝１２ｆ（図１６）の右側端部に配置される。
【００４３】
このような構成であるから、内シリンダー錠２４を操作してサムロックスライダー２５を下方へ移動させると、サムロック板２７は、そのピン２７ｃ，２７ｄが傾斜して設けられている第一溝２５ａおよび第二溝２５ｂの作用により内ケース２０の長穴２０ｃ，２０ｄに沿って左側に移動する。これにより、サムロック板２７の切欠溝２７ｂの周端縁でサムスライダーピン２２を室内側へ押し出すことになる。これにより、サムスライダーピン２２とメインスライダー９との係合が解除される。この状態では、ツマミ１２ａを持ってサムスライダー１２を上下動させようとしても、メインスライダー９を上下動させることはできず、ツマミ１２ａで施解錠動作ができない防犯モードに設定される。従って、内シリンダー錠２４にキー（不図示）を差し込んで回転操作し、そのような防犯モードに設定後、外出すれば、サムターン回しが有効に防止される。
【００４４】
本実施例の引違い戸錠の作用について、さらに具体的に説明する。
図２０は、外側キー（不図示）にて施錠する際の状態を示す図であり、図２１は、施錠完了状態を示す図である。図１の状態から外側キー（不図示）をシリンダー錠５に差し込んで施錠操作すると、図２０に示すように、操作スライダー６を介して、第一ロックピース７を反時計方向へ回転する。これにより、第一ロックピース７の先端部が、アーム１８ひいてはそれと一体のメインスライダー９を下方へ移動させ、メインスライダー９下部の施錠杆１０を反時計方向へ回転して、その施錠杆１０の先端部が外側錠２のフロント板１５の係合穴１５ｂに係合して施錠される。その際、内側戸３と外側戸１とは施錠可能な位置にあれば、トリガー１３の先端部は外側錠２のフロント板１５に当接してそれ以上の移動が阻止され、メインスライダー９の下方への移動は阻止されない。
【００４５】
一方、図２１の施錠状態から図１の解錠状態へ戻すには、外側キー（不図示）をシリンダー錠５に差し込んで解錠操作すればよい。これにより、図２１の状態において、操作スライダー６の下方へのスライドにより、第二ロックピース８が時計方向に回転して、アーム１８ひいてはそれと一体のメインスライダー９を上方へ移動させ、図１の解錠状態に戻すことができる。また、このような外側錠２からの施解錠操作と同様に、図１の解錠状態からは、室内側からツマミ１２ａを上下動することで、内側錠４からも施解錠操作が可能である。
【００４６】
図１、図２０および図２１においては、サムスライダーピン２２の先端部２２ａは、メインスライダー９の係合穴９ｂに係合している。従って、施解錠操作に伴ってメインスライダー９が上下にスライドすると、それに伴ってサムスライダー１２も上下動することになる。従って、図１、図２０および図２１により説明した施解錠操作により、従来の引違い戸錠と同様に使用が可能である。しかしながら、それでは戸のガラスを割られ、ツマミ１２ａを直接にスライドさせるサムターン回しがなされるおそれが残る。そこで、本実施例の引違い戸錠では、ツマミ１２ａ（具体的にはサムスライダー１２に設けたサムスライダーピン２２）とメインスライダー９との係合を解除して、サムターン回しによりツマミ１２ａを操作しても、メインスライダー９ひいては施錠杆１０の操作を不能にして、不正解錠を不能に構成している。
【００４７】
図２２は、そのような防犯モード設定時の状態を示す図である。図２３および図２４には、防犯モードの設定前と設定後の内側錠４の状態を示した。防犯モードに設定するには、図１（図２３）の状態から、内シリンダー錠２４に内側キー（不図示）を差し込んで、回転操作すればよい。内側キー（不図示）の操作により、サムロックスライダー２５が下方へ移動し、その移動によりサムロック板２７ひいてはサムスライダーピン２２が室内側へ移動することになる。これにより、サムスライダーピン２２の先端部２２ａとメインスライダー９の係合穴９ｂとの係合が解除される。そのような防犯モードに設定した後、室外側から施錠して外出すればよい。
【００４８】
このような防犯モードに設定しておけば、万一サムターン回しをしようとする者がガラスを破って、ツマミ１２ａをスライドさせようとしても、ツマミ１２ａは上下に空振りするだけで、メインスライダー９を上下動して解錠することができない。本実施例の引き違い戸錠の使用者は、内側キー（不図示）を操作して防犯モードに設定すると、ツマミ１２ａからサムスライダーピン２２の基端部２２ｃが突出するので（図２２）、防犯モードである旨を容易に視認することができる。
【００４９】
なお、本発明の引違い戸錠は、上記実施例の構成に限らず、適宜変更可能である。特に、内側錠４と外側錠２との施錠機構は、従来公知の他の構成に変更できる。そして、その施錠機構用のメインスライダー９に対し、ツマミ１２ａを係脱すればよく、その係脱機構も変更可能である。
【図面の簡単な説明】
【００５０】
【図１】本発明の引違い戸錠の一実施例を、引違い戸の召合せ部に取り付けた状態を示す図であり、引違い戸を閉めた解錠状態を示し、（ａ）は召合せ部の縦断面図、（ｂ）はその平面図、（ｃ）はスライド式サムターン部の左側面図、（ｄ）は外シリンダー錠部の右側面図を示している。
【図２】外ケース本体を示す図であり、（ａ）は正面図、（ｂ）は左側面図、（ｃ）は平面図である。
【図３】外ケース蓋を示す図であり、（ａ）は正面図、（ｂ）は左側面図、（ｃ）は平面図である。
【図４】外ケースのフロント板を示す図であり、（ａ）は正面視縦断面図、（ｂ）は左側面図、（ｃ）は平面図である。
【図５】操作スライダーを示す図であり、（ａ）は正面図、（ｂ）は左側面図である。
【図６】ロックピースを示す図であり、（ａ）は正面図、（ｂ）は左側面図である。
【図７】ロックピースのガイド板を示す図であり、（ａ）は正面図、（ｂ）は左側面図である。
【図８】内ケース本体を示す図であり、（ａ）は正面図、（ｂ）は左側面図、（ｃ）は平面図、（ｄ）は右側面図である。
【図９】外ケース蓋を示す図であり、（ａ）は正面図、（ｂ）は左側面図、（ｃ）は平面図、（ｄ）は右側面図である。
【図１０】内ケースのフロント板を示す図であり、（ａ）は正面視縦断面図、（ｂ）は右側面図、（ｃ）は平面図である。
【図１１】メインスライダーを示す図であり、（ａ）は正面図、（ｂ）は左側面図、（ｃ）は平面図、（ｄ）は右側面図である。
【図１２】メインスライダーのアームを示す図であり、（ａ）は正面図、（ｂ）は右側面図である。
【図１３】ガード部材を示す図であり、（ａ）は正面図、（ｂ）は平面図、（ｃ）は右側面図である。
【図１４】トリガーを示す図であり、（ａ）は正面図、（ｂ）は右側面図である。
【図１５】サム座を示す図であり、（ａ）は正面視縦断面図、（ｂ）は左側面図、（ｃ）は平面図、（ｄ）は右側面図である。
【図１６】サムスライダーを示す図であり、（ａ）は正面視縦断面図、（ｂ）は左側面図、（ｃ）は平面図、（ｄ）は右側面図である。
【図１７】サムスライダーピンを示す正面図である。
【図１８】サムロックスライダーを示す図であり、（ａ）は正面図、（ｂ）は左側面図である。
【図１９】サムロック板を示す図であり、（ａ）は正面視縦断面図、（ｂ）は左側面図、（ｃ）は平面図である。
【図２０】本実施例の引違い戸錠の使用状態を示す図であり、外側キーによる施錠操作状態を示し、（ａ）は召合せ部の縦断面図、（ｂ）はスライド式サムターン部の左側面図である。
【図２１】図２０の施錠完了状態を示す図である。
【図２２】本実施例の引違い戸錠の使用状態を示す図であり、内側キーによる防犯モード設定状態を示し、（ａ）は召合せ部の縦断面図、（ｂ）はスライド式サムターン部の左側面図である。
【図２３】本実施例の引違い戸錠の内側錠を示す図であり、内側キーによる防犯モード設定前の状態を示し、（ａ）は召合せ部の縦断面図、（ｂ）はその左側面図である。
【図２４】図２３の防犯モード設定後の状態を示す図である。
【符号の説明】
【００５１】
１  外側戸
２  外側錠
３  内側戸
４  内側錠
５  外シリンダー錠
６  操作スライダー
６ａ  ラック
７  第一ロックピース
８  第二ロックピース
９  メインスライダー（スライド部材）
９ｂ  係合穴
１０  施錠杆
１１  ガード部材
１２  サムスライダー
１２ａ  ツマミ
１３  トリガー
１４  外ケース
１５  フロント板
１６  ピニオン
１７  回転軸
１８  アーム
１９  ガイド板
２０  内ケース
２１  フロント板
２２  サムスライダーピン（可動部材）
２２ａ  先端部
２３  サム座
２４  内シリンダー錠
２５  サムロックスライダー
２６  付勢部材（コイルバネ）
２７  サムロック板
【図１】
2006009289.tif 000003
【図２】
2006009289.tif 000004
【図３】
2006009289.tif 000005
【図４】
2006009289.tif 000006
【図５】
2006009289.tif 000007
【図６】
2006009289.tif 000008
【図７】
2006009289.tif 000009
【図８】
2006009289.tif 000010
【図９】
2006009289.tif 000011
【図１０】
2006009289.tif 000012
【図１１】
2006009289.tif 000013
【図１２】
2006009289.tif 000014
【図１３】
2006009289.tif 000015
【図１４】
2006009289.tif 000016
【図１５】
2006009289.tif 000017
【図１６】
2006009289.tif 000018
【図１７】
2006009289.tif 000019
【図１８】
2006009289.tif 000020
【図１９】
2006009289.tif 000021
【図２０】
2006009289.tif 000022
【図２１】
2006009289.tif 000023
【図２２】
2006009289.tif 000024
【図２３】
2006009289.tif 000025
【図２４】
2006009289.tif 000026